(57)【要約】【課題】  従前の苔玉製出においては、土団子形成が非常に手間を要し煩雑であり、また糸巻き作業も非常に煩雑で面倒であった。しかも型崩れがし易く大型ものの製造は大変である。更にその育成管理自体も面倒である。【解決手段】  上部を適宜大きさで開口すると共に、苔を貼り付けることができ、且つ透水性を有する網籠体１に、透水性を有する仕切り部２２を内装した筒状脚部２を付設してなる器具を提供し、この苔玉栽培用器具における網籠体内に保水材４を充填し、網籠体の表面全体に苔植物３を貼り付けると共に適宜な細糸を巻き付け、網籠体の表面に苔植物を保持させ、苔植物の栽培を行う。【選択図】  図５
2005323520.tif 000002
【特許請求の範囲】
【請求項１】
上部を適宜大きさで開口すると共に、苔を貼り付けることができ、且つ透水性を有する網籠体に、透水性を有する仕切り部を内装した筒状脚部を付設してなることを特徴とする苔玉栽培用器具。
【請求項２】
網籠体が真球形状又は略真球形状である請求項１記載の苔玉栽培用器具。
【請求項３】
網籠体及び脚部を樹脂で形成すると共に、仕切り部をフェルトで形成した請求項２記載の苔玉栽培用器具。
【請求項４】
請求項１乃至３記載の何れかの苔玉栽培用器具における網籠体内に保水部材が充填され、網籠体の表面全体に苔植物を貼り付けると共に適宜な細糸を巻き付け、網籠体の表面に苔植物を保持させてなることを特徴とする苔玉。
【請求項５】
網籠体の上部開口部に適宜な植物を植栽してなる請求項４記載の苔玉。
【請求項６】
網籠体の上部開口部に、適宜な花瓶容器を装着してなる請求項４記載の苔玉。
【請求項７】
請求項１乃至３記載の何れかの苔玉栽培用器具における網籠体内に、保水部材を充填し、網籠体の表面全体に苔植物を貼り付けると共に適宜な細糸を巻き付け、網籠体の表面に苔植物を保持させて、苔植物の栽培を行うことを特徴とする苔玉の栽培方法。
【発明の詳細な説明】
【技術分野】
【０００１】
本発明は、苔玉の栽培並びに栽培器具に関するものである。
【背景技術】
【０００２】
苔玉は、周知の通り、観賞用植物の根元の培土の表面を球状にして、その表面を苔植物で覆ったものである。
【０００３】
この苔玉の製出手段は、適宜な植物の根元に土団子（植物培土の表面を、ケト土を主材としてバーミキュライトを加えたものや、ケト土とムソウを１：１の割合で混ぜたものを使用して覆う）を作り、この土団子の表面に苔植物（ハイゴケやミズゴケ等）を貼り付け、更に苔植物の上から糸を巻いて苔植物が土団子から剥離しないようにしているものである（非特許文献１，２）。
【０００４】
【非特許文献１】砂森聡監修「苔玉・ミニ盆栽」２００４年３月１５日株式会社新星出版社発行Ｐ３２−３７。
【非特許文献２】「平成１６年５月７日検索」インターネット＜ＵＲＬ；ｈｔｔｐ：／／ｈｏｍｅｐａｇａ３．ｎｉｆｔｙ．ｃｏｍ／ｋａｎｔａ２００１／ｋｏｋｅ／ｔｅｊｕｎ．ｈｔｍｌ＞。
【発明の開示】
【発明が解決しようとする課題】
【０００５】
前記した従前の苔玉製出において、土団子形成は手間隙が掛かり煩雑であり、また糸巻き作業も非常に煩雑で面倒であり、更にその育成管理自体も面倒である。
【０００６】
即ち植物の根を覆う培土と、表面を被覆するケト土とは硬さが相違し、馴染み難いのでケト土が剥離し易く、また手作業のため大きさに限定があり、しかも真球形状になり難い。特に培土を硬く球形に形成すると土団子形成は容易になるが、植物に対しては不都合となる。
【０００７】
また糸巻きは、土団子の表面に苔植物を貼り付け状態で行うが、苔植物を手で押さえながらの作業であり、且つ均一に糸巻きを行わないと形状が変化してしまったり、苔植物の一部がはみ出したりしてしまう。このように綺麗な苔玉を製出するには熟練を要するものである。
【０００８】
更に製出した苔玉を栽培する場合には、苔植物が乾燥しないように充分な灌水が必要であり、内部の培土と表面のケト土の湿度差によって、ケト土が剥離しやすくなる。しかも内部の培土の高湿によって植物が根腐れし易く、植物が枯れてしまうと、苔玉のままで維持するしかなく、再度植物の植え替えは不可能である。
【０００９】
そこで本発明は、所望の形状及び大きさの苔玉が容易に製出でき、且つ植物と苔植物の分離管理が可能となる新規な苔玉及び苔玉栽培用器具並びに苔玉栽培方法を提案したものである。
【課題を解決するための手段】
【００１０】
本発明に係る苔玉栽培用器具は、上部を適宜大きさで開口すると共に、苔を貼り付けることができ、且つ透水性を有する網籠体に、透水性を有する仕切り部を内装した筒状脚部を付設してなることを特徴とするものである。
【００１１】
また本発明に係る苔玉及びその栽培方法は、前記の苔玉栽培用器具における網籠体内に保水部材が充填され、網籠体の表面全体に苔植物を貼り付けると共に適宜な細糸を巻き付け、網籠体の表面に苔植物を保持させ、苔植物の栽培を行うことを特徴とするものである。
【００１２】
従って苔玉の形状は、網籠体の形状を選択決定することで所望の大きさ及び形状とすることができ、網籠体に貼り付けた苔植物を軽く抑えながら糸巻き作業を実施することができるので、糸巻き作業時の苔植物の剥落の虞が少なく、且つ苔玉形状の変形がなく、糸巻き作業が容易になる。
【００１３】
さらに栽培に際しても、通常の鉢植え植物と同様に水盤内に配置することで灌水が容易になされるし、上部開口部に他植物を直接植栽したり、花瓶や小型植木鉢を装着して切花を生けたり植栽を施すことが容易になされ、しかも同植物の植え替えや取替えも苔玉を破壊することなく可能となるものである。
【発明の効果】
【００１４】
本発明は、上記の構成を備えることによって、所望形状（大きさ及び形）の苔玉製造を容易に行うことができるし、しかも製出作業自体が簡単になり、且つその栽培管理も容易になったものである。
【発明を実施するための最良の形態】
【００１５】
次に本発明の実施の形態について説明する。本発明の実施形態に示した苔玉栽培用器具Ａは、網籠体１と脚部２で構成されるものである。
【００１６】
網籠体１は、半球体１１ａ，１１ｂを２個組み合わせて真球に近い形状としたもので、透水性を備えるように多数の透孔１２を設けてなり、上部に適宜大きさの開口部１３を形成し、下部に嵌合開口部１４を設けたものである。
【００１７】
透孔１２の大きさ及び密度は、表面側に苔植物３を貼り付けることのできる大きさであれば良いし、また貼り付けた苔植物に対して内部から充分な灌水が実現する密度があれば良いものである。また上部開口部１３の位置及び大きさは、後述する使用目的（保水材充填、植栽、花瓶や植木鉢の嵌合装着）に対応する大きさ及び位置を選択すれば良いものである。
【００１８】
また前記網籠体１は、下記の脚部２と同様に樹脂成型で製出すると安価で大量生産が可能であるが、竹材や樹脂板の編み上げによって形成しても良い。
【００１９】
脚部２は、下部嵌合開口部１４に装着するもので、筒状部２１内に仕切り部２２を設け、安定性のための支持足部２３を外周に突設したものである。
【００２０】
特に仕切り部２２は、網籠体１内に充填する保水材４が零れ出ないよう遮断し且つ透水性を備えるようにしたもので、上下遮断壁２２１に通水孔２２２を穿設し、通水孔２２２をフェルト２２３で塞いでなる。また図５，６に例示するように、筒状部２１ａ内に上面をフェルト２２４で塞いだ小筒体２２５を嵌合装着して、フェルト２２４を仕切り部としても良い。
【００２１】
また本発明の苔玉は、前記の苔玉栽培用器具Ａを使用して製出するもので、網籠体１内に保水材４を充填し、網籠体１の表面に苔植物（ハイゴケが適する）３を貼り付け、その上から糸を巻いて網籠体１の表面に苔植物３を保持させてなるものである。
【００２２】
尚保水材４は、スポンジ等の人工物でも、乾燥ミズゴケや適宜な培土等、適宜な保水性を有し、後述する使用形態に対応する部材を採用すれば良いものである。
【００２３】
而して前記の苔玉は、水盤Ｂ等に載置し適宜な灌水を施すことで、苔植物３を栽培すると、苔植物が育成され、インテリアとして適する緑玉形状となるものである。
【００２４】
更に図５に例示するとおり、保水材４を培土として上部開口部１３から他の好みの植物Ｃを植栽することで、従前の苔玉の植栽植物として不適であった植物でも、苔玉との組み合わせが可能となったものである。
【００２５】
また図６に例示するように、上部開口部１３に花瓶５を嵌合装着し、切花Ｄを生けることで、従前の苔玉では実現できなかった新規な形態の苔玉を提供できるし、花瓶５に替えて植木鉢を採用することで、苔玉を破壊することなく植栽植物の変更が容易になし得るものである。
【図面の簡単な説明】
【００２６】
【図１】本発明の栽培用器具の分解斜視図。
【図２】同一部切断正面図。
【図３】同脚部の別例の分解斜視図。
【図４】同脚部の別例の端面図。
【図５】本発明の苔玉の実施形態の一部切断正面図。
【図６】同別例図
【符号の説明】
【００２７】
Ａ        苔玉栽培用器具
Ｂ        水盤
Ｃ        植栽植物
Ｄ        切花
１        網籠体
１１ａ，１１ｂ  半球体
１２      透孔
１３      上部開口部
１４      下部嵌合開口部
２        脚部
２１，２１ａ    筒状部
２２      仕切り部
２２１      上下遮断壁
２２２      通水孔
２２３，２２４  フェルト
２２５      小筒体
２３        支持足部
３          苔植物
４          保水材
５          花瓶
【図１】
2005323520.tif 000003
【図２】
2005323520.tif 000004
【図３】
2005323520.tif 000005
【図４】
2005323520.tif 000006
【図５】
2005323520.tif 000007
【図６】
2005323520.tif 000008